【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
固形状を成す固形部材の周面に、螺旋状の溝が形成され、前記溝は、右回転の螺旋状を成す右螺旋溝と、左回転の螺旋溝を成す左螺旋溝とから構成され、前記右螺旋溝が形成された右ねじ部と、上記左螺旋溝が形成された左ねじ部とが、同一領域内に重複して設けられることを特徴とする両ねじ体に対して螺合される雌ねじ体であって、
右回転の螺旋状の螺旋条と左回転の螺旋状の螺旋条とを有することを特徴とする雌ねじ体。
【請求項２】
前記雌ねじ体は、筒状を成す第一の筒状部材の内周面に、右回転の螺旋状の螺旋条が形成されて成る右雌ねじ体と、筒状を成す第二の筒状部材の内周面に、左回転の螺旋状の螺旋条が形成されて成る左雌ねじ体と、を備え、
上記右雌ねじ体と上記左雌ねじ体とが、それぞれ前記両ねじ体に螺合されると共に、互いに一体的に接合されることを特徴とする、請求項１記載の雌ねじ体。
【請求項３】
前記右雌ねじ体及び前記左雌ねじ体のいずれか一方又は両方には、該右雌ねじ体と該左雌ねじ体とを互いに接近させて結合させるための結合手段が設けられることを特徴とする、請求項１又は２記載の雌ねじ体。
【請求項４】
前記結合手段は、前記右雌ねじ体及び前記左雌ねじ体のうち、一方に設けられる係入部と、他方に設けられ上記係入部を受容する受容部と、から構成され、
前記右雌ねじ体と前記左雌ねじ体とを互いに密接させた際に、上記係入部が、上記受容部に受容され、該係入部と該受容部とが互いに係合されるように形成されることを特徴とする、請求項３記載の雌ねじ体。
【請求項５】
前記係入部又は前記受容部のうち、一方又は両方に、軸方向に平行なスリットが形成されることを特徴とする、請求項４記載の雌ねじ体。
【請求項６】
前記係入部又は前記受容部のうち、一方又は両方に、軸方向に垂直なスリットが形成されることを特徴とする、請求項４又は５記載の雌ねじ体。
【請求項７】
前記結合手段は、前記右雌ねじ体又は前記左雌ねじ体のいずれか一方の前記両ねじ体に対する螺合時の回転向きに対する逆回転を防止する逆回転防止手段を有することを特徴とする、請求項４乃至６のいずれかに記載の雌ねじ体。
【請求項８】
前記逆回転防止手段は、前記右雌ねじ体又は前記左雌ねじ体のうち、一方の雌ねじ体における軸方向の一端側に設けられる前記係入部の外周面に形成される複数の鋸歯状部から成る第一の歯車状部と、他方の雌ねじ体における軸方向の一端側に設けられる前記受容部の内周面に形成される複数の鋸歯状部から成る第二の歯車状部とを有することを特徴とする、請求項７記載の雌ねじ体。
【請求項９】
前記逆回転防止手段は、前記右雌ねじ体又は前記左雌ねじ体のうち、一方の雌ねじ体の外周面が前記係入部として成り、この係入部は複数の鋸歯状部から成る第一の歯車状部を有し、他方の雌ねじ体における軸方向の一端側に設けられる前記受容部の内周面には複数の鋸歯状部から成る第二の歯車状部とを有することを特徴とする、請求項７記載の雌ねじ体。
【請求項１０】
前記逆回転防止手段は、前記右雌ねじ体又は前記左雌ねじ体の一方の雌ねじ体の一端側において該雌ねじ体の回転軸を中心として周回状に、ばね状に設けられる一つ以上の発条部から成る前記係入部と、他方の雌ねじ体の一端側において回転軸を中心として周回状に、凹凸状乃至起伏状に設けられる一つ以上の起伏部を含んで成る前記受容部とを有することを特徴とする、請求項７記載の雌ねじ体。
【請求項１１】
前記逆回転防止手段は、前記右雌ねじ体又は前記左雌ねじ体の一方の雌ねじ体の一端側に配設され、該雌ねじ体の回転軸を中心として周回状に、ばね状に設けられる一つ以上の発条部から成る、該雌ねじ体と別体に設けられる前記係入部と、他方の雌ねじ体の一端側において回転軸を中心として周回状に、凹凸状乃至起伏状に設けられる一つ以上の起伏部を含んで成る前記受容部とを有することを特徴とする、請求項７記載の雌ねじ体。
【請求項１２】
前記結合手段は、前記右雌ねじ体の一端側と、前記左雌ねじ体の一端側とを互いに回転可能に結合すると共に、前記右雌ねじ体と前記左雌ねじ体との軸方向における乖離を防止する可回転抜止手段を有することを特徴とする、請求項３乃至６のいずれかに記載の雌ねじ体。
【請求項１３】
前記結合手段は、前記右雌ねじ体の一端側と、前記左雌ねじ体の一端側とを互いに回転可能に結合すると共に、前記右雌ねじ体と前記左雌ねじ体との軸方向における乖離を防止する可回転抜止手段を有し、
前記可回転抜止手段は、前記係入部の先端付近が該係入部の基端部の外径よりも大径に設定された大径部を有し、前記受容部の先端部が該受容部の基端部の内径よりも小径に設定された小径部を有し、前記係入部の基端部の外径と前記受容部の先端部の小径部の内径とがほぼ同等に設定されることを特徴とする、請求項４乃至６記載の雌ねじ体。
【請求項１４】
前記係入部は、該係入部の先端付近の外周に前記大径部を有し、該係入部が前記受容部に予め挿入され、前記右雌ねじ体と前記左雌ねじ体とが互いに回転可能で且つ乖離不能に一体化されていることを特徴とする、請求項１３記載の雌ねじ体。
【請求項１５】
前記係入部は、該係入部の先端付近の外周に前記大径部を有し、前記受容部は該大径部が設けられていない部位に相当する箇所に前記小径部を有することを特徴とする、請求項１３記載の雌ねじ体。
【請求項１６】
前記結合手段は、前記右雌ねじ体及び前記左雌ねじ体のうち、一方の一端部に設けられる第一の磁極と、他方の一端部に発現する若しくは設けられる第二の磁極と、から構成され、上記第一の磁極と上記第二の磁極とが互いに異なる磁極であって、これらの磁極同士を磁気結合させることによって、前記右雌ねじ体と前記左雌ねじ体とが接合されることを特徴とする、請求項３乃至１５のいずれかに記載の雌ねじ体。
【請求項１７】
上記雌ねじ体は、筒状を成す筒状部材の内周面に、右回転又は左回転のいずれか一方の断続的又は連続的な螺旋状の螺旋条が形成され、上記筒状部材には、前記両ねじ体に螺合した際に螺合時の回転向きに対する逆回転を防止する逆回転防止手段を有することを特徴とする、請求項１記載の雌ねじ体。
【請求項１８】
前記逆回転防止手段は、一つ以上の板片を有し、この板片が、前記筒状部材から当該雌ねじ体の回転軸に向かって突き出して配設され、該板片の先端部が、右回転又は左回転の螺旋状の螺旋条を成し、且つ、該板片の先端の成す前記螺旋条が前記筒状部材の内周面に形成された一方の前記螺旋条のリード角に対して有限の傾斜角を有することを特徴とする、請求項１７記載の雌ねじ体。
【請求項１９】
前記板片の先端の成す前記螺旋条は、当該雌ねじ体の内周面に形成された螺旋状の前記螺旋条のリード角をθとするとき、このリード角に対して、（１６５−２θ）°乃至（１９５−２θ）°傾斜していることを特徴とする、請求項１８記載の雌ねじ体。
【請求項２０】
前記逆回転防止手段は、筒状部材の一端に形成された前記雌ねじ体の回転軸を中心とする螺旋状のスロープ部と、このスロープ部に配設される一つ以上の板片とを有し、上記スロープ部の傾斜角が、当該雌ねじ体の内周面に形成された螺旋状のリード角をθとするとき、このリード角に対して、（１６５−２θ）°乃至（１９５−２θ）°傾斜していることを特徴とする、請求項１７又は１８記載の雌ねじ体。
【請求項２１】
前記板片は、当該雌ねじ体の回転軸を中心とした弧状を成す先端を有することを特徴とする、請求項１７乃至２０のいずれかに記載の雌ねじ体。
【請求項２２】
軸方向から視た平面における少なくとも一部の外形が非円形状を成すものであることを特徴とする、請求項１乃至２１のいずれかに記載の雌ねじ体。
【請求項２３】
非円形状を成す前記平面における前記外形が、正方形、正六角形、多角形から選択されるいずれかであることを特徴とする、請求項２２記載の雌ねじ体。
【請求項２４】
前記右雌ねじ体と、前記左雌ねじ体とのうち、一方の雌ねじ体の輪郭を成す外形における最大径が、他方の雌ねじ体の輪郭を成す外形における最小径以下に設定されることを特徴とする、請求項２に記載の雌ねじ体。
【請求項２５】
請求項１乃至２４のいずれかに記載の雌ねじ体に螺合される両ねじ体であって、前記固形状を成す固形部材の周面に、螺旋状の溝が形成され、前記溝は、右回転の螺旋状を成す右螺旋溝と、左回転の螺旋溝を成す左螺旋溝とから構成され、
前記右螺旋溝が形成された右ねじ部と、上記左螺旋溝が形成された左ねじ部とが、同一領域内に重複して設けられることを特徴とする両ねじ体。
【請求項２６】
前記固形部材が、円柱状又は円筒状を成す軸体であることを特徴とする、請求項２５記載の両ねじ体。
【請求項２７】
前記軸体の外周面上には、周方向に沿って弧状に延びることで断続的となり、互いに独立して突出する条が、該軸体の軸方向に対して複数形成されており、
前記複数の条は、直径方向に対向するような互い違いの状態で、前記軸方向に沿って複数配置され、
前記条の前記周方向の中心線が、前記軸方向に対して垂直に設定されることで、前記条の各々が、前記右螺旋溝及び前記左螺旋溝を兼用的に構成し、
これら複数の前記条によって、前記右螺旋溝と前記左螺旋溝とが前記軸体の軸方向における同一領域上に作出されることを特徴とする請求項２５記載の両ねじ体。
【請求項２８】
前記軸体の外周面における、第一の直径方向からの視点における前記条の頂部の外径が、前記第一の直径方向に対して垂直となる第二の直径方向からの視点における前記条の頂部の外径よりも大きく設定され、一つの前記条の頂部における直径において、長径部と短径部とを有することを特徴とする、請求項２５乃至２７のいずれかに記載の両ねじ体。
【請求項２９】
前記軸体の外周面上には、周方向に沿って弧状に延びることで断続的となり、互いに独立して突出する条が、該軸体の軸方向に対して複数形成されており、
前記複数の条は、直径方向に対向するような互い違いの状態で、前記軸方向に沿って複数配置され、
弧状に形成された複数の前記条の先端を成す前記中心線に沿った外形が半楕円形状を含み、
前記軸体の軸方向視において、互い違いの状態となる複数の前記条の前記半楕円形状が重なり合うことによって、前記固形部材の全体外形が楕円形状を成すことを特徴とする、請求項２５又は２６に記載の両ねじ体。
【請求項３０】
前記短径部方向視における前記条の高さが、前記長径部方向視における前記条の高さの二倍に設定されることを特徴とする、請求項２９記載の両ねじ体。
【請求項３１】
前記長径部方向視において、その輪郭からカウントされる前記軸体の軸方向における単位長さ当たりの前記条の数が、前記短径部方向視において、その輪郭からカウントされる前記軸体の軸方向における単位長さ当たりの前記条の数の二倍に設定されることを特徴とする、請求項２９又は３０記載の両ねじ体。
【請求項３２】
前記軸体は、円錐形をなすことを特徴とする、請求項２５乃至３１のいずれかに記載の両ねじ体。
【請求項３３】
前記固形部材は、一端に、非円形穴状又は非円形柱状の非円形端部が形成されることを特徴とする、請求項２５乃至３２のいずれかに記載の、両ねじ体。
【請求項３４】
前記非円形穴状に形成される前記非円形端部は、該非円形穴を軸方向から視た平面における形状が、一字形、十字形、多角形、或いはこれらの複合形から選択されるいずれかであることを特徴とする、請求項３３記載の両ねじ体。
【請求項３５】
前記非円形柱状に形成される前記非円形端部は、該非円形柱の平面形状が、正方形、正六角形から選択されるいずれかであることを特徴とする、請求項３３又は３４記載の両ねじ体。
【請求項３６】
前記右螺旋溝のピッチと前記左螺旋溝のピッチとが、同等であることを特徴とする、請求項２５乃至３５のいずれかに記載の両ねじ体。
【請求項３７】
前記右螺旋溝のピッチと前記左螺旋溝のピッチとが、異なることを特徴とする、請求項２５乃至３５のいずれかに記載の両ねじ体。